(57)【特許請求の範囲】
【請求項１】
枠体と、この枠体に開閉自在に支持された障子とを備え、前記枠体側に設けられた枠体側召合せ部と前記障子側に設けられた障子側召合せ部とが見込み方向に重なって当該障子が閉鎖可能な建具であって、
前記障子側召合せ部には、前記障子を閉じた状態で前記枠体側召合せ部に当接するかまたは近接する主止水部材が当該障子側召合せ部の長手方向に沿って設けられ、
前記枠体側召合せ部の長手方向両端部には、前記障子に当接するかまたは近接するとともに、前記主止水部材の上下端部に当接可能な一対の副止水部材が設けられ、
前記副止水部材は、前記枠体側召合せ部に固定される副止水部材本体部と、この本体部から前記枠体側召合せ部の長手方向に沿って互いに反対向きに突出する一対の当接片部とを有して形成され、
前記一対の当接片部は、それぞれ弾性変形可能に構成され、これらの当接片部のうち、一方の当接片部の先端が前記障子の開放方向に曲がって形成されるとともに前記主止水部材の端部に当接可能に設けられ、他方の当接片部の先端が前記障子の閉鎖方向に曲がって形成されている建具。
【請求項２】
前記副止水部材本体部は、見込み方向に延びる板状のヒレ部で周縁部が形成されるとともに、前記障子に向かって開口した全体有孔中空箱状に形成され、前記ヒレ部の先端が前記障子に摺接可能に構成されている請求項１に記載の建具。
【請求項３】
前記副止水部材本体部において、前記障子の閉鎖方向端部側に前記一対の当接片部が設けられるとともに、前記障子の開放方向端部側には、前記一方の当接片部と同一方向に突出する突起部が形成されている請求項１または請求項２に記載の建具。
【請求項４】
前記枠体側召合せ部には、前記障子に向かって突出するとともに当該障子の開放方向に折れ曲がった枠体側係合片が形成され、前記障子側召合せ部には、前記障子を閉じた状態で前記枠体側係合片に係合可能な障子側係合片が形成され、前記副止水部材本体部は、前記枠体側係合片に設けた切欠きに圧入して固定され、前記主止水部材は、前記枠体側係合片に当接可能に設けられている請求項１から請求項３のいずれかに記載の建具。
【請求項５】
前記枠体は、四周枠組みした上枠、下枠および左右の縦枠と、前記上枠と下枠とに渡って架設した縦骨とを有して構成され、前記縦骨の左右いずれかの側に開放した前記障子を収納する障子収納部が設けられ、
前記障子は、上框、下框および左右の縦框を框組みした内部に面材を支持して構成され、前記上框および下框がそれぞれ前記上枠および下枠に案内されて前記縦骨の見込み方向一方側に沿って左右開閉自在に支持され、
前記縦骨によって前記枠体側召合せ部が構成されるとともに、前記左右の縦框のうちの一方の縦框によって前記障子側召合せ部が構成されている請求項１から請求項４のいずれかに記載の建具。
【請求項６】
前記枠体の上枠、下枠には、それぞれ見込み方向一方側に突出して前記障子の上框および下框に摺接可能な上止水部材および下止水部材が設けられ、これら上下の止水部材に前記副止水部材の他方の当接片部が接続されている請求項５に記載の建具。
【請求項７】
前記障子の上框、下框および左右の縦框は、それぞれ見付け方向内方に開口して前記面材の端縁を保持する凹溝部を有して形成され、
前記凹溝部は、前記面材を見込み方向一方側から保持する第１保持部および他方側から保持する第２保持部を有して形成され、この第２保持部は、前記上下左右の各框における見込み方向他方側の端面と略同一面に設けられた突片で構成されている請求項５または請求項６に記載の建具。
【発明の詳細な説明】
【技術分野】
【０００１】
本発明は、枠体に開閉自在に支持された障子を備える建具に関し、詳しくは、枠体および障子の召合せ部同士が見込み方向に重なって障子が閉じる形式の建具に関する。
【背景技術】
【０００２】
従来、建具として、建具枠と障子とを備え、障子が片引き形式に開閉可能に支持された浴室出入り口用建具（片引き戸）が知られている（例えば、特許文献１参照）。
特許文献１に記載された片引き戸における建具枠では、その左右略中央位置において上枠と下枠とに渡って上下に延びる縦骨が架設され、この縦骨と一方の縦枠との間に開口部が形成されるとともに、縦骨と他方の縦枠との間に戸袋（障子収納部）を構成するパネル材が取り付けられている。そして、縦骨の脱衣室側に障子の召合せ框が重なって開口部を覆う閉鎖状態と、縦骨およびパネル材の脱衣室側に沿って開放されて戸袋に収納される開放状態との間を障子が開閉移動可能に構成されている。このような片引き戸において、上枠、下枠、戸先側の縦枠および縦骨の脱衣室側側面には、それぞれ止水材が設けられており、これらの止水材が閉鎖状態の障子に浴室側から当接または摺接することで、浴室内の水が脱衣室側に漏れ出ないようにされた止水構造が構成されている。
【０００３】
【特許文献１】特許第３５５４６８８号公報
【発明の開示】
【発明が解決しようとする課題】
【０００４】
しかしながら特許文献１に記載されたような従来の建具では、建具枠における縦骨の脱衣室側に沿って障子が開閉移動するとともに、この縦骨に止水材が設けられているため、開閉時の障子に縦骨止水材が常に摺接することとなり、摺接音がしたり、摩擦抵抗により開閉操作が重くなったりなどの不都合が生じる。特に、障子の面材を浴室側に偏って設置したような建具において、縦骨止水材が面材に摺接すると、大きな摺接音がしたり、面材表面に傷がついたり、開閉操作が非常に重くなってしまったり等、様々な問題が生じる。
【０００５】
本発明の目的は、障子開閉時の不都合を解消しつつ止水性能を確保することができる建具を提供することにある。
【課題を解決するための手段】
【０００６】
本発明の建具は、枠体と、この枠体に開閉自在に支持された障子とを備え、前記枠体側に設けられた枠体側召合せ部と前記障子側に設けられた障子側召合せ部とが見込み方向に重なって当該障子が閉鎖可能な建具であって、前記障子側召合せ部には、前記障子を閉じた状態で前記枠体側召合せ部に当接するかまたは近接する主止水部材が当該障子側召合せ部の長手方向に沿って設けられ、前記枠体側召合せ部の長手方向両端部には、前記障子に当接するかまたは近接するとともに、前記主止水部材の上下端部に当接可能な一対の副止水部材が設けられ、前記副止水部材は、前記枠体側召合せ部に固定される副止水部材本体部と、この本体部から前記枠体側召合せ部の長手方向に沿って互いに反対向きに突出する一対の当接片部とを有して形成され、前記一対の当接片部は、それぞれ弾性変形可能に構成され、これらの当接片部のうち、一方の当接片部の先端が前記障子の開放方向に曲がって形成されるとともに前記主止水部材の端部に当接可能に設けられ、他方の当接片部の先端が前記障子の閉鎖方向に曲がって形成されていることを特徴とする。
【０００７】
このような本発明によれば、障子を閉じた状態で縦骨等の枠体側召合せ部に当接または近接する主止水部材を障子側召合せ部（召合せ框）に設けたことで、全閉位置から障子を若干開いて障子側召合せ部が枠体側召合せ部からずれることにより、主止水部材が枠体に摺接しないようになる。従って、障子の開閉移動範囲における多くの部分で主止水部材と枠体とが摺接しないようにできるので、摺接音が防止できるとともに、摩擦抵抗を低減して障子の開閉操作性を良好にすることができる。また、枠体側召合せ部の長手方向両端部に一対の副止水部材を設け、障子を閉じた状態で主止水部材の上下端部に副止水部材を当接させることで、主止水部材の上下端部と枠体との間を副止水部材で連結することができ、水漏れの原因となる隙間等ができないことで止水性能を確保することができる。
【０００８】
さらに、副止水部材に副止水部材本体部と一対の当接片部とを設け、一対の当接片部が弾性変形可能かつ互いに逆向きに曲がって形成される、つまり一対の当接片部がＳ字状（または逆Ｓ字状）に形成されている。これにより、一方の当接片部に対しＳ字状の先端部から主止水部材が当接し、この当接によって当接片部が直線状となるように変形しつつ主止水部材の端部に密接することとなり、止水性能を高めることができる。また、他方の当接片部が障子の閉鎖方向に曲がって形成されているので、水が掛かった場合に、この水を障子の閉鎖方向（例えば、浴室内部側）に向かって戻すことができ、これによっても止水性能を高めることができる。
【０００９】
この際、本発明の建具では、前記副止水部材本体部は、見込み方向に延びる板状のヒレ部で周縁部が形成されるとともに、前記障子に向かって開口した全体有孔中空箱状に形成され、前記ヒレ部の先端が前記障子に摺接可能に構成されていることが好ましい。
このような構成によれば、副止水部材本体部をヒレ部で周縁部が構成された有孔中空箱状に形成したことで、その剛性を高めつつ障子との摺接抵抗の増大を防止することができ、副止水部材の形状を安定させて主止水部材および枠体との当接状態を維持することができる。
【００１０】
さらに、本発明の建具では、前記副止水部材本体部において、前記障子の閉鎖方向端部側に前記一対の当接片部が設けられるとともに、前記障子の開放方向端部側には、前記一方の当接片部と同一方向に突出する突起部が形成されていることが好ましい。
このような構成によれば、副止水部材本体部における障子の閉鎖方向端部側に一対の当接片部を設けたことで、これら一対の当接片部および副止水部材本体部を壁状に連続形成することにより、掛かった水を障子の閉鎖方向（例えば、浴室内部側）に向かってスムーズに戻すことができる。さらに、副止水部材本体部における障子の開放方向端部側に突起部を設けたことで、当接片部と主止水部材との間から水が漏れたとしても、突起部が水返し片として機能し、この突起部よりも障子の開放方向側への流出を防止することができる。
【００１１】
また、本発明の建具では、前記枠体側召合せ部には、前記障子に向かって突出するとともに当該障子の開放方向に折れ曲がった枠体側係合片が形成され、前記障子側召合せ部には、前記障子を閉じた状態で前記枠体側係合片に係合可能な障子側係合片が形成され、前記副止水部材本体部は、前記枠体側係合片に設けた切欠きに圧入して固定され、前記主止水部材は、前記枠体側係合片に当接可能に設けられていることが好ましい。
このような構成によれば、枠体側召合せ部および障子側召合せ部にそれぞれ枠体側係合片および障子側係合片を設け、枠体側係合片に副止水部材本体部を固定するとともに、枠体側係合片に主止水部材が当接するように構成したことで、障子開閉時における主止水部材と枠体との摺接が確実に防止できる。すなわち、枠体側召合せ部において、見込み方向の障子側に最も突出して位置する枠体側係合片に主止水部材を当接させることで、枠体側係合片以外の位置と主止水部材とのクリアランスが確保でき、障子開閉時に主止水部材が枠体に摺接しないようにできる。また、枠体側係合片に設けた切欠きに圧入して副止水部材本体部を固定することで、副止水部材の取付が容易にできるとともに、枠体側召合せ部への加工も簡単化することができる。
【００１２】
さらに、本発明の建具では、前記枠体は、四周枠組みした上枠、下枠および左右の縦枠と、前記上枠と下枠とに渡って架設した縦骨とを有して構成され、前記縦骨の左右いずれかの側に開放した前記障子を収納する障子収納部が設けられ、前記障子は、上框、下框および左右の縦框を框組みした内部に面材を支持して構成され、前記上框および下框がそれぞれ前記上枠および下枠に案内されて前記縦骨の見込み方向一方側に沿って左右開閉自在に支持され、前記縦骨によって前記枠体側召合せ部が構成されるとともに、前記左右の縦框のうちの一方の縦框によって前記障子側召合せ部が構成されていることが好ましい。
このような構成によれば、障子収納部に収納されて全開される片引き形式の障子を有した建具において、一方の縦框（召合せ框）に主止水部材を設けた、縦骨に一対の副止水部材を設けることで、障子閉鎖状態における止水性能を確保することができる。そして、障子の開閉操作時に主止水部材が枠体に摺接しないことで、音鳴りや摩擦抵抗を低減するかなくすことができ、操作性を向上させることができる。
【００１３】
また、本発明の建具では、前記枠体の上枠、下枠には、それぞれ見込み方向一方側に突出して前記障子の上框および下框に摺接可能な上止水部材および下止水部材が設けられ、これら上下の止水部材に前記副止水部材の他方の当接片部が接続されていることが好ましい。
このような構成によれば、上枠および下枠に設けた上止水部材および下止水部材と、一対の副止水部材の他方の当接片部とが接続されているので、この接続部における水漏れを防止して止水性能を向上させることができる。ここで、副止水部材の他方の当接片部は、上止水部材および下止水部材に直接接触する形態で接続されていてもよく、また、上枠および下枠の枠材の一部（例えば、止水材保持部等）を介して接続されていてもよい。
【００１４】
また、本発明の建具では、前記障子の上框、下框および左右の縦框は、それぞれ見付け方向内方に開口して前記面材の端縁を保持する凹溝部を有して形成され、前記凹溝部は、前記面材を見込み方向一方側から保持する第１保持部および他方側から保持する第２保持部を有して形成され、この第２保持部は、前記上下左右の各框における見込み方向他方側の端面と略同一面に設けられた突片で構成されていることが好ましい。
このような構成によれば、面材を見込み方向一方側（例えば、脱衣室側）から保持する第１保持部と、面材を他方側（縦骨側であり、例えば、浴室側）から保持する第２保持部とを有した凹溝部において、第２保持部を突片で構成し、この突片が上下左右の框の端面と略同一面に設けられていることで、他方側に偏った位置に面材を支持することができる。このように面材を縦骨側に偏らせた場合でも、前述のように主止水部材が縦骨に設けられていないことで、主止水部材が面材に摺接することがなく、音鳴りを防止しつつフラットな外観による優れた意匠性の建具が構成できる。
【発明を実施するための最良の形態】
【００１５】
以下、本発明の実施形態を図面に基づいて説明する。
図１は、本実施形態に係る建具である浴室出入り口用の片引き戸１を示す横断面図であり、障子１０を閉じた状態を示す横断面図である。図２は、片引き戸１において、障子１０を若干開いた状態を示す横断面図である。図３は、片引き戸１を示す縦断面図である。図４および図５は、それぞれ障子１０を示す縦断面図および横断面図である。
図１〜図３において、本実施形態の片引き戸１は、繊維強化プラスチック製の浴槽（不図示）や浴室床Ｆ１（防水パン）、浴室壁等からなる浴室ユニットで構成された浴室と、この浴室に隣接する脱衣室との出入り口に用いられる建具である。この片引き戸１は、上枠２、下枠３および左右の縦枠４，５を枠組みした枠体としての建具枠６と、この建具枠６内部に片引き形式に開閉可能に支持された１枚の障子１０と、建具枠６内部に固定される固定面材８とを備えて構成されている。建具枠６の上枠２、下枠３および縦枠４，５は、脱衣室の天井材Ｃや床材Ｆ２、額縁材Ｇ等に固定されており、建具枠６の内部には、上枠２と下枠３とに渡って上下に延びる縦骨７が架設されている。
【００１６】
そして、建具枠６の内部における図１、２の左側略半分の領域には、左右の縦枠のうち左側（図１の左側）の縦枠４と縦骨７との間に出入り用の開口部６Ａが形成され、建具枠６の内部における図１の右側略半分の領域に固定面材８が支持され、この固定面材８の脱衣室側に障子１０を収納する障子収納部８Ａが形成されている。
障子１０は、上框１１、下框１２および左右の縦框１３，１４を四周框組みした障子枠１５に、面材としての樹脂パネル１６を嵌めこんで構成されている。そして、図１、２の左側の縦框１３（戸先框）には、障子１０を開閉操作するためのハンドル１７が固定されている。このような障子１０は、上枠２に設けられた上レール２Ａと下枠３に設けられた下レール３Ａとに、それぞれ上框１１と下框１２の戸車とが案内されて左右にスライド開閉できるようになっている。そして、障子１０は、縦框１３が縦枠４に当接し、かつ障子側召合せ部としての一方の縦框１４が枠体側召合せ部としての縦骨７の脱衣室側に重なって開口部６Ａを覆う閉鎖位置と、当該障子１０の略全体が障子収納部８Ａに収納される開放位置と、の間を開閉移動可能に構成されている。
【００１７】
また、建具枠６の上枠２には、上レール２Ａよりも浴室側に位置して止水材保持部２Ｂが形成され、この止水材保持部２Ｂには、脱衣室側に突出した上止水部材としての上枠ＡＴ材２Ｃが設けられている。また、下枠３には、下レール３Ａよりも浴室側に位置して止水材保持部３Ｂが形成され、この止水材保持部３Ｂには、脱衣室側に突出した下止水部材としての下枠ＡＴ材３Ｃが設けられている。これらの上枠ＡＴ材２Ｃおよび下枠ＡＴ材３Ｃは、それぞれ障子１０の上框１１および下框１２に摺接可能に設けられている。また、図１、２の左側の縦枠４には、縦枠ＡＴ材４Ａが設けられ、この縦枠ＡＴ材４Ａが閉鎖位置にある障子１０の縦框１３に当接可能に構成されている。そして、上枠ＡＴ材２Ｃ、下枠ＡＴ材３Ｃおよび縦枠ＡＴ材４Ａは、見込み方向の略同一位置に設けられるとともに、縦枠ＡＴ材４Ａの上端部が上枠ＡＴ材２Ｃに接続され、縦枠ＡＴ材４Ａの下端部が下枠ＡＴ材３Ｃに接続されることで、これらによってタイトラインが形成されるようになっている。
【００１８】
障子１０の上框１１、下框１２および左右の縦框１３，１４は、図４、５に示すように、それぞれ中空断面を有したアルミ形材製であり、樹脂パネル１６は、半透明の樹脂製板材から構成されている。上框１１、下框１２および縦框１３，１４は、見付け方向内方に開口した凹溝部１１１，１２１，１３１，１４１を有して形成され、これらの凹溝部１１１，１２１，１３１，１４１で樹脂パネル１６の四周端縁を保持するように構成されている。そして、凹溝部１１１，１２１，１３１，１４１は、樹脂パネル１６を脱衣室側（一方側）から保持する第１保持部１１２，１２２，１３２，１４２と、樹脂パネル１６を浴室側（他方側）から保持する第２保持部としての突片１１３，１２３，１３３，１４３とを有して形成されている。第１保持部１１２，１２２，１３２，１４２と樹脂パネル１６の脱衣室側側面との間には、弾性変形可能な接着剤が介挿され、これらの接着剤で樹脂パネル１６が接着固定されている。また、突片１１３，１２３，１３３，１４３は、各框１１，１２，１３，１４の見込み方向他方側の端面（浴室側の側面）と略同一面に設けられ、つまり障子枠１５に対して樹脂パネル１６が浴室側にオフセットした位置に支持され、障子１０の浴室側の側面が全体略フラットに形成されるようになっている。
【００１９】
また、障子１０の召合せ框である縦框１４の浴室側側面には、図５に示すように、後述する縦骨７の枠体側係合片７３と係合可能な障子側係合片部１４４が形成されている。この障子側係合片部１４４は、縦框１４の浴室側側面から浴室側に突出するとともに障子１０の閉鎖方向（図５の左側）に折れ曲がって形成されている。そして、障子側係合片部１４４の基端部には、浴室側に開口した止水材保持部１４５が形成され、この止水材保持部１４５には、浴室側に突出した主止水部材としての縦ＡＴ材１４６が設けられている。すなわち、縦ＡＴ材１４６は、障子側係合片部１４４の内部である障子１０の閉鎖方向側に隣接して設けられている。この縦ＡＴ材１４６は、障子１０を閉鎖した状態で縦骨７の枠体側係合片７３に当接可能に構成され、障子１０を開放した状態では、図２に示すように、縦骨７や固定面材８などの建具枠６には摺接しないように構成されている。
【００２０】
次に、縦骨７の構造および召合せ部の止水構造について、図６〜図８も参照して詳しく説明する。ここで、図６は、縦骨７を一方側（脱衣室側）から見た側面図である。図７は、縦骨７と障子１０との召合せ部の止水構造を示す側面図である。図８は、縦骨７に設けられる副止水部材を示す三面図である。
縦骨７の一方側（脱衣室側）の側面における障子１０の閉鎖方向側の端部には、縦骨７の長手方向（上下方向）に沿って延びかつ脱衣室側に開口したモヘア保持部７１が形成され、このモヘア保持部７１には、図１、２に示すように、脱衣室側に延びて障子１０の浴室側側面に摺接可能なモヘア７２が設けられている。また、モヘア保持部７１の脱衣室側先端部には、障子収納部８Ａ側に延びる枠体側係合片７３が形成され、この枠体側係合片７３に障子１０の障子側係合片部１４４が係合可能になっている。すなわち、枠体側係合片７３は、縦骨７の脱衣室側側面から脱衣室側に突出するとともに障子１０の開放方向（図２、６の右側）に折れ曲がって形成されている。
【００２１】
縦骨７の長手方向両端部（上下端部）には、障子１０の浴室側側面に摺接可能で、かつ障子１０を閉じた状態で縦ＡＴ材１４６の上下端部に当接可能な一対の副止水部材２０が設けられている。これらの副止水部材２０は、縦骨７の枠体側係合片７３に固定されて脱衣室側に突出して設けられている。副止水部材２０は、比較的軟質なゴムや合成樹脂から一体成形されたものであり、図８に示すように、副止水部材本体部２１と、この副止水部材本体部２１から縦骨７の長手方向に沿って互いに反対向きに突出する第１および第２の当接片部２２，２３と、副止水部材本体部２１の浴室側に設けられた圧入部２４と、副止水部材本体部２１から第１当接片部２２と対向して突出した突起部２５とを有して形成されている。この副止水部材２０を構成する素材としては、例えば、ニトリルゴム（ＮＢＲ）などが好適であり、射出成形などによって形成された副止水部材２０の表面に塗装剤がコーティングされていることが好ましい。一方、縦骨７の枠体側係合片７３には、副止水部材２０の圧入部２４が圧入される切欠き７３Ａが形成されている。
【００２２】
副止水部材本体部２１は、枠体側係合片７３に当接する底部２１１と、この底部２１１から見込み方向脱衣室側に延びる板状のヒレ部２１２とを有し、ヒレ部２１２が四周を囲むとともに脱衣室側に向かって開口した有孔中空箱状に形成されている。そして、ヒレ部２１２の先端が障子１０に摺接可能に構成されている。第１および第２の当接片部２２，２３は、それぞれ弾性変形可能に構成され、図６に示すように、副止水部材本体部２１における障子１０の閉鎖方向側端縁に連続して形成されている。そして、第１当接片部２２は、副止水部材本体部２１から離れた先端部が副止水部材本体部２１側、つまり障子１０の開放方向に曲がって形成されている。一方、第２当接片部２３は、副止水部材本体部２１から離れた先端部が副止水部材本体部２１から離れる側、つまり障子１０の閉鎖方向に曲がって形成されている。すなわち、第１および第２の当接片部２２，２３は、脱衣室側から見て略Ｓ字状に形成されており、上側の副止水部材２０と下側の副止水部材２０とは、上下対称形となるように形成されている。
【００２３】
副止水部材２０の圧入部２４は、切欠き７３Ａの側端縁に係合する第１係合部２４１と、切欠き７３Ａの凸部７３Ｂに係合する一対の第２係合部２４２とを有して形成されている。第２係合部２４２は、圧入部２４における障子１０の閉鎖方向端部の上下に形成されており、切欠き７３Ａの凸部７３Ｂに第２係合部２４２を合わせて圧入部２４を圧入することで、副止水部材２０の取付方向が正規の向きとなるように構成されている。また、副止水部材２０の突起部２５は、副止水部材本体部２１における障子１０の開放方向端部に設けられ、第１当接片部２２と同一方向に突出して形成されている。すなわち、下側の副止水部材２０においては、突起部２５が上方に突出して形成されており、この突起部２５が水返し片として機能するようになっている。
【００２４】
以上のような副止水部材２０の第１当接片部２２には、図６、７に示すように、閉鎖した障子１０の縦ＡＴ材１４６上下端部が当接可能とされ、この当接により、第１当接片部２２が直線状に弾性変形して縦ＡＴ材１４６に密接するようになっている。また、上側の副止水部材２０の第２当接片部２３は、その先端が上枠２の止水材保持部２Ｂ底面に当接し、下側の副止水部材２０の第２当接片部２３は、その先端が下枠３の止水材保持部３Ｂ上面に当接して設けられている。すなわち、上側の副止水部材２０の第２当接片部２３は、止水材保持部２Ｂを介して上枠ＡＴ材２Ｃに接続され、下側の副止水部材２０の第２当接片部２３は、止水材保持部３Ｂを介して下枠ＡＴ材３Ｃに接続され、障子閉鎖時において、上枠ＡＴ材２Ｃ、下枠ＡＴ材３Ｃおよび縦枠ＡＴ材４Ａと、障子１０の縦ＡＴ材１４６とが上下の副止水部材２０を介して接続され、四周連続したタイトラインが形成されるようになっている。
【００２５】
このような本実施形態によれば、以下のような効果がある。
（１）すなわち、障子１０の召合せ框である縦框１４に設けた縦ＡＴ材１４６が縦骨７の枠体側係合片７３に当接するとともに、障子１０を開けば縦ＡＴ材１４６が建具枠６に摺接しないよう構成されている。従って、障子１０の開閉移動時に縦ＡＴ材１４６と建具枠６とが摺接しないようにできるので、摺接音が防止できるとともに、摩擦抵抗を低減して障子１０の開閉操作性を良好にすることができる。また、縦骨７における枠体側係合片７３の上下端部に一対の副止水部材２０が設けられ、障子１０を閉じた状態で縦ＡＴ材１４６の上下端部と副止水部材２０とが当接することで、召合せ部における縦のタイトラインを連続させることができ、水漏れの原因となる隙間等ができないことで止水性能を確保することができる。
【００２６】
（２）さらに、副止水部材２０の第１および第２の当接片部２２，２３が略Ｓ字状に形成され、Ｓ字状の先端部から縦ＡＴ材１４６が第１当接片部２２に当接して直線状となるように第１当接片部２２が変形することで、第１当接片部２２と縦ＡＴ材１４６とを密接させることができ、止水性能を高めることができる。また、第２当接片部２３が障子１０の閉鎖方向に曲がって形成され、上枠２または下枠３に当接されているので、浴室側から水が掛かった場合に、この水を障子１０の閉鎖方向である浴室内部側に向かって戻すことができ、これによっても止水性能を高めることができる。
【００２７】
（３）また、副止水部材２０の副止水部材本体部２１が底部２１１と四周のヒレ部２１２とによって中空箱状に形成されているので、副止水部材本体部２１の剛性を高めることができ、副止水部材２０の形状を安定させて縦ＡＴ材１４６との当接状態を維持することができる。さらに、ヒレ部２１２の先端が障子１０に摺接することで、それらの摺接抵抗の増大を防止することができ、障子１０の開閉操作性を良好に維持することができる。また、副止水部材本体部２１における障子１０の開放方向端部側に突起部２５が設けられているので、下側の副止水部材２０において、突起部２５が水返し片として機能し、縦ＡＴ材１４６に沿って流れ落ちた水を受け止めることができ、障子収納部８Ａへの水の流出を防止することができる。
【００２８】
（４）また、縦骨７において脱衣室側に最も突出して位置する枠体側係合片７３に副止水部材２０が固定されるとともに、この枠体側係合片７３に縦ＡＴ材１４６が当接するように構成されているので、枠体側係合片７３を外れた位置における建具枠６と縦ＡＴ材１４６との摺接が確実に防止できる。また、枠体側係合片７３に設けた切欠き７３Ａに圧入部２４を圧入して副止水部材２０が固定されるので、副止水部材２０の取付が脱衣室側から容易にできるとともに、枠体側係合片７３への加工も簡単化することができる。さらに、切欠き７３Ａに凸部７３Ｂが設けられ、この凸部７３Ｂに第２係合部２４２を合わせて圧入部２４を圧入することで、取付ミスを防止して副止水部材２０を正規の取付方向に取り付けることができる。
【００２９】
（５）また、障子１０において、上下左右の框１１，１２，１３，１４に第２保持部である突片１１３，１２３，１３３，１４３を設け、これらの突片１１３，１２３，１３３，１４３で樹脂パネル１６の浴室側側面を保持することで、浴室側に偏った位置に樹脂パネル１６を支持することができる。このように樹脂パネル１６を浴室側に偏らせた場合でも、縦骨７に縦止水材が設けられていないことで、縦止水材が樹脂パネル１６に摺接することがなく、音鳴りを防止しつつフラットな外観による優れた意匠性の片引き戸１を構成することができる。
【００３０】
なお、本発明は前記実施形態の構成に限定されるものではない。
例えば、前記実施形態では、浴室出入り口用の建具としての片引き戸１を例示して説明したが、本発明の建具は、浴室出入り口用の建具に限らず、建物の窓や出入り口に用いられるものであってもよい。また、前記実施形態では、１枚の障子１０を有した片引き形式の建具について説明したが、これに限らず、２枚以上の障子が開閉自在に支持された二枚建てや三枚建ての引き戸でもよい。
【００３１】
また、前記実施形態では、樹脂パネル１６を浴室側に偏らせた障子１０を備えた建具について説明したが、これに限らず、本発明の建具としては、障子１０の見込み方向略中央に面材が支持されたものでもよく、さらに一方側（脱衣室側）に偏った面材を備えて構成されていてもよい。また、障子としては、上下左右の框１１，１２，１３，１４と、面材である樹脂パネル１６を備えたものに限らず、フラットな側面を有した板状部材で構成されたものであってもよく、この場合には、板状部材の側端縁によって障子側召合せ部が構成されていればよい。
さらに、枠体としては、前記実施形態のように縦骨７を備え、この縦骨７によって枠体側召合せ部が構成されたものに限らず、例えば、袖壁などの面状体で障子収納部（戸袋）が構成され、この面状体の側端縁によって枠体側召合せ部が構成されていてもよい。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含
まれるものである。
【図面の簡単な説明】
【００３３】
【図１】本発明の実施形態に係る建具を示す横断面図である。
【図２】前記建具において障子を開いた状態を示す横断面図である。
【図３】前記建具を示す縦断面図である。
【図４】前記建具における障子を拡大して示す縦断面図である。
【図５】前記障子を拡大して示す横断面図である。
【図６】前記建具における縦骨を一方側から見た側面図である。
【図７】前記縦骨と障子との召合せ部の止水構造を示す側面図である。
【図８】前記縦骨に設けられる副止水部材を示す三面図である。
【符号の説明】
【００３４】
１…片引き戸（建具）、２…上枠、２Ｃ…上枠ＡＴ材（上止水部材）、３…下枠、３Ｃ…下枠ＡＴ材（下止水部材）、４，５…縦枠、６…建具枠（枠体）、７…縦骨（枠体側召合せ部）、８Ａ…障子収納部、１０…障子、１１…上框、１２…下框、１３，１４…縦框、１６…樹脂パネル（面材）、２０…副止水部材、２１…副止水部材本体部、２２…第１当接片部、２３…第２当接片部、２５…突起部、７３…枠体側係合片、７３Ａ…切欠き、１１１，１２１，１３１，１４１…凹溝部、１１２，１２２，１３２，１４２…第１保持部、１１３，１２３，１３３，１４３…突片（第２保持部）、１４４…障子側係合片部、１４６…縦ＡＴ材（主止水部材）、２１２…ヒレ部。
【図１】
0004852054.tif 000002
【図２】
0004852054.tif 000003
【図３】
0004852054.tif 000004
【図４】
0004852054.tif 000005
【図５】
0004852054.tif 000006
【図６】
0004852054.tif 000007
【図７】
0004852054.tif 000008
【図８】
0004852054.tif 000009